(57)【要約】【課題】停電によりナースコールシステムへの給電が行われなくなった場合に、できるだけ長く医療従事者が呼び出しを把握できるようにする。【解決手段】停電時に、ナースコール子機１および廊下灯１０に対して一定の期間だけ給電を行う予備電源３０を設けるとともに、ナースコール子機１および廊下灯１０に、予備電源３０により給電された場合にのみ音声による報知を行う予備報知部５，１４を設けるようにしているので、停電時には、ナースコール子機１および廊下灯１０に対してのみ予備電源３０による給電が行われ、ナースコールシステム全体に対して予備電源３０による給電を行う場合に比べて、長時間に渡って呼び出しを医療従事者に把握させることができる。また、停電時には、医療従事者による病院内の巡回が行われる可能性が高いため、子機予備報知部５および廊下灯予備報知部１４により音声による報知が行われると、医療従事者が呼び出しを把握できる。【選択図】図１
2012245048.tif 000002
【特許請求の範囲】
【請求項１】
病室内の患者が居るベッド近傍に設置され、医療従事者を呼び出すために操作される呼出操作部と、前記呼出操作部の操作によって呼出信号を生成する子機制御部と、前記呼出信号を出力する子機インターフェースとを有するナースコール子機と、
前記病室の出入口近傍の廊下側に設置され、前記ナースコール子機から出力された呼出信号を入力する廊下灯インターフェースと、呼び出しが行われたことを表示する表示部と、前記廊下灯インターフェースが前記呼出信号を入力した場合に前記表示部を動作させる廊下灯制御部とを有する廊下灯と、
呼び出しに対応する医療従事者が常駐するナースステーションに設置され、前記ナースコール子機から出力された呼出信号を入力するインターフェースと、前記ナースコール子機からの呼び出しを報知する報知部と、前記インターフェースが前記呼出信号を入力した場合に、前記報知部を動作させる制御部とを有するナースコール親機とを備えたナースコールシステムであって、
このナースコールシステムへ給電を行う商用交流電源の停電が検出された場合に、前記ナースコール子機および前記廊下灯に対して所定の時間だけ給電を行う予備電源と、
前記ナースコール子機および前記廊下灯の少なくとも一方に設けられ、前記予備電源によって給電が行われた場合にのみ音声による報知を行う予備報知部と、
を備えたことを特徴とするナースコールシステム。
【発明の詳細な説明】
【技術分野】
【０００１】
本発明は、ナースコールシステムに関し、特に、患者毎に設置されるナースコール子機からの呼び出しに対して、医療従事者が応答することができるように成されたナースコールシステムに用いて好適なものである。
【背景技術】
【０００２】
一般に、病院や介護施設などでは、ナースコールシステムが用いられている。ナースコールシステムは、病院の患者が医者や看護師のサポートを必要とする際、または介護施設の被介護者が介護師のサポートを必要とする際に、患者や被介護者（以下、これらをまとめて患者と記載する）がボタン状の呼出操作部を操作することによって医者や看護師、介護師（以下、これらをまとめて医療従事者と記載する）を呼び出すことができるように成されたシステムである。
【０００３】
多くのナースコールシステムは、病室内のベッド近傍などに設置され、呼出操作部を備えるナースコール子機と、医療従事者が常駐するナースステーションに設置され、報知を行うナースコール親機とを備えて構成されている。また、ナースコール子機とナースコール親機との間には廊下灯が設置されている。この廊下灯は、病室の出入口近傍の廊下側の壁面に設置されており、患者がナースコール子機の呼出操作部を操作したことを表示するための表示灯と、病室内の患者の氏名などを記載した患者情報表示部とを備えている。
【０００４】
このように構成されたナースコールシステムでは、患者がナースコール子機の呼出操作部を操作すると、ナースコール子機にて呼出信号を生成する。生成された呼出信号を入力した廊下灯は、表示灯を点灯または点滅させることで、廊下灯が設置された病室内の患者が呼び出しを行ったことを表示する。また、ナースコール子機にて生成された呼出信号を入力したナースコール親機は、スピーカーや表示ディスプレイ、表示ランプなどで構成される報知部を動作させて、呼び出しが行われたことを報知する。
【０００５】
ナースコールステーションに常駐している医療従事者は、ナースコール親機の報知部によって行われる報知により患者が呼び出しを行ったことを把握する。また、病室前の廊下を通りかかった医療従事者は、廊下灯の表示灯を見ることにより患者が呼び出しを行ったことを把握する。
【０００６】
ところで、ナースコールシステムに用いられるナースコール子機やナースコール親機、廊下灯には、商用交流電源から常時給電が行われている。そのため、天災などにより商用交流電源が停電すると、ナースコールシステムに給電が行われなくなってしまい、ナースコールシステムが動作しなくなってしまうという問題があった。
【０００７】
このような問題を解決するために、商用交流電源から入力した電力を蓄積し、商用交流電源が停電した場合に、一定の期間だけ電力を供給するＵＰＳ（Uninterruptible  Power  Supply：無停電電源装置）をナースコールシステムに接続して、商用交流電源の停電時にナースコールシステムに電力を供給するようにした技術が知られている（例えば、特許文献１など）。しかしながら、特許文献１に記載の技術では、停電時でもＵＰＳはナースコールシステム全体に電力を供給しているため、ＵＰＳからナースコールシステムへの給電時間が短くなってしまうという問題があった。
【０００８】
このような問題に対して、ナースコールシステムの構成要素の中から不要と思われる構成要素への電力の供給を停止することで、ＵＰＳからナースコールシステムへの給電時間をできるだけ長くすることが考えられる。しかしながら、ナースコール子機は呼び出しを行うために必要であり、廊下灯は呼び出しが行われた場所を特定するために必要であり、ナースコール親機は呼び出しを報知するために必要であることから、ナースコールシステムの構成要素の中から不要と思われる構成要素を明確に特定することはできなかった。
【先行技術文献】
【特許文献】
【０００９】
【特許文献１】特開２０００−３０８２７８号公報
【発明の概要】
【発明が解決しようとする課題】
【００１０】
本発明は、このような問題を解決するために成されたものであり、天災などにより商用交流電源が停電してナースコールシステムへの給電が行われなくなった場合に、できるだけ長く医療従事者がナースコール子機による患者の呼び出しを把握することができるようにすることを目的とする。
【課題を解決するための手段】
【００１１】
上記した課題を解決するために、本発明では、患者の居るベッド近傍に設置され、この患者が呼び出しを行う際に操作するナースコール子機と、このナースコール子機が設置されている病室の出入口近傍の廊下側に設置され、ナースコール子機により呼び出しが行われたことを表示する廊下灯と、呼び出しに対応する医療従事者が常駐するナースステーションに設置され、ナースコール子機により呼び出しが行われたことを報知するナースコール親機とを備えたナースコールシステムであって、このナースコールシステムへの給電を行う商用交流電源の停電が検出された場合に、ナースコール子機および廊下灯に対して一定の期間だけ給電を行う予備電源を設けるとともに、ナースコール子機および廊下灯の少なくとも一方に、予備電源により給電された場合にのみ音声による報知を行う予備報知部を設けるようにしている。
【発明の効果】
【００１２】
上記のように構成した本発明によれば、ナースコールシステムへの給電を行う商用交流電源の停電が検出された場合に、ナースコール子機および廊下灯に対してのみ予備電源による給電が行われるので、ナースコールシステム全体に対して予備電源による給電を行う場合に比べて、長時間に渡ってナースコール子機による患者の呼び出しを医療従事者に把握させることができる。また、ナースコールシステムへの給電を行う商用交流電源の停電時には、医療従事者による病院内の巡回が行われる可能性が高く、ナースコール子機および廊下灯の少なくとも一方に設けた予備報知部により音声による報知を行われるので、医療従事者がナースコール子機による患者の呼び出しを把握することができる。
【図面の簡単な説明】
【００１３】
【図１】本実施形態によるナースコールシステムの構成例を示すブロック図である。
【図２】本実施形態によるナースコールシステムの動作例を示す図である。
【発明を実施するための形態】
【００１４】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設等に設置される場合にも適用可能である。図１は、本実施形態によるナースコールシステムの構成例を示すブロック図である。図１において、１はナースコール子機であり、患者のベッドの近傍に設置され、患者などにより使用される。ここで、ナースコール子機１は、各患者に対して設置されている。また、ナースコール子機１は、子機制御部２、呼出操作部３、子機インターフェース４、子機予備報知部（特許請求の範囲の予備報知部に該当する）５を備えて構成されている。
【００１５】
また、１０は廊下灯であり、病室の出入口近傍の廊下側の壁面に設置され、病室内の患者の氏名などを記載した患者情報表示部（図示せず）を備えている。これにより、廊下に居る医療従事者は、患者情報表示部を見ることで病室内の患者を把握することができる。ここで、廊下灯１０は、廊下灯制御部１１、廊下灯インターフェース１２、表示灯１３、廊下灯予備報知部（特許請求の範囲の予備報知部に該当する）１４を備えて構成されている。
【００１６】
また、２０はナースコール親機であり、医療従事者が常駐するナースステーションなどに設置され、医療従事者によって使用される。ここで、ナースコール親機２０は、制御部２１、インターフェース２２、記憶部２３、報知部２４を備えて構成されている。また、ナースコール親機２０には、ナースコール親機２０とナースコール子機１との通信の制御を行う制御機（図示せず）が接続されている。この制御機への給電は、ナースコール親機２０と同様に行われる。
【００１７】
また、３０は予備電源であり、ＵＰＳなどにより構成されている。予備電源３０は、ナースコール子機１、廊下灯１０、および、商用交流電源（図示せず）に接続されており、商用交流電源から給電を受けて内部に蓄電を行う。そして、後述する条件で、蓄積した電力を一定の期間だけナースコール子機１および廊下灯１０に供給する。なお、本実施形態では、予備電源３０は商用交流電源により蓄電を行っているが、これに限定されない。例えば、予備電源３０は、蓄電を行わないバッテリーを搭載したり、太陽光などにより発電された電力を蓄積するバッテリーを搭載したりするようにしても良い。
【００１８】
また、４０は制御装置であり、商用交流電源が停電したことを検出する停電検出装置（図示せず）および予備電源３０に接続されている。制御装置４０は、商用交流電源が停電したことを示す停電検出情報を停電検出装置から入力することで、予備電源３０を制御して予備電源３０に蓄積した電力をナースコール子機１および廊下灯１０へ供給させる。
【００１９】
子機制御部２は、ナースコール子機１の各構成要素を後述するように制御するためのものであり、ＣＰＵ（Central Processing Unit）などにより構成されている。呼出操作部３は、患者などが医療従事者を呼び出す際に操作される。ここで、呼出操作部３が操作されると、子機制御部２は呼出信号を生成する。また、呼出信号には、このナースコール子機１を他のナースコール子機１と区別するための子機識別情報（例えば、ベッド番号情報など）が含まれる。子機インターフェース４は、ナースコール子機１とナースコール親機２０とを接続して通信を行うためのものである。ここで、子機インターフェース４は、子機制御部２により生成された呼出信号を廊下灯１０およびナースコール親機２０へ出力する。また、ナースコール子機１とナースコール親機２０との間で通話が可能である場合には、子機インターフェース４は、ナースコール子機１とナースコール親機２０との間で音声信号をやり取りするために使用される。
【００２０】
子機予備報知部５は、スピーカーなどにより構成されており、予備電源３０によりナースコール子機１へ電力の供給が行われたと子機制御部２にて判断し、かつ、呼出操作部３が操作されて子機制御部２が呼出信号を生成した場合に、音声による報知を行う。
【００２１】
廊下灯制御部１１は、廊下灯１０の各構成要素を後述するように制御するためのものであり、ＣＰＵなどにより構成されている。廊下灯インターフェース１２は、廊下灯１０とナースコール子機１およびナースコール親機２０とを接続して通信を行うためのものである。ここで、廊下灯インターフェース１２は、ナースコール子機１から出力された呼出信号を入力するとともに、入力した呼出信号をナースコール親機２０へ出力する。また、ナースコール子機１とナースコール親機２０との間で通話が可能である場合には、廊下灯インターフェース１２は、ナースコール子機１とナースコール親機２０との間で音声信号をやり取りするために使用される。
【００２２】
表示灯１３は、ランプなどにより構成されており、患者がナースコール子機１の呼出操作部３を操作したことを表示するためのものである。廊下灯インターフェース１２がナースコール子機１から呼出信号を入力すると、廊下灯制御部１１は、表示灯１３を点灯または点滅させる。廊下灯予備報知部１４は、スピーカーなどにより構成されており、予備電源３０により廊下灯１０へ電力の供給が行われたと廊下灯制御部１１にて判断し、かつ、廊下灯インターフェース１２が呼出信号を入力したと廊下灯制御部１１にて判断した場合に、音声による報知を行う。
【００２３】
制御部２１は、ナースコール親機２０の各構成要素を後述するように制御するためのものであり、ＣＰＵなどにより構成されている。インターフェース２２は、ナースコール親機２０とナースコール子機１とを接続して通信を行うためのものである。ここで、インターフェース２２は、ナースコール子機１から出力された呼出信号を、廊下灯１０を介して入力する。また、ナースコール親機２０とナースコール子機１との間で通話が可能である場合には、インターフェース２２は、ナースコール親機２０とナースコール子機１との間で音声信号をやり取りするために使用される。
【００２４】
記憶部２３は、メモリやハードディスクなどの記憶装置により構成されており、子機識別情報と、その子機識別情報によって特定されるナースコール子機１を使用している患者を他の患者と区別するための患者識別情報（例えば、患者氏名など）とを予め関連付けて記憶している。なお、子機識別情報がベッド番号情報などである場合には、ベッド番号情報により呼び出しが行われたナースコール子機１が設置された病室が分かるため、子機識別情報と患者識別情報とを関連付けて記憶部２３に記憶させることは必須ではない。報知部２４は、スピーカーや表示ディスプレイ、表示ランプなどにより構成されており、患者からの呼び出しをスピーカーから出力される音声や、表示ディスプレイの表示、表示ランプの点灯や点滅によって報知するためのものである。
【００２５】
このように構成されているナースコールシステムでは、ナースコール子機１、廊下灯１０、ナースコール親機２０に対して商用交流電源により給電が行われている。図２に示すように、商用交流電源により給電が行われている状態では、予備電源３０は動作していない（ただし、予備電源への蓄電は行われている）。また、ナースコール子機１の構成要素のうち、子機制御部２、呼出操作部３、子機インターフェース４は、商用交流電源により動作している。一方、子機予備報知部５は動作していない。
【００２６】
また、廊下灯１０の構成要素のうち、廊下灯制御部１１、廊下灯インターフェース１２、表示灯１３は、商用交流電源により動作している。一方、廊下灯予備報知部１４は動作していない。また、ナースコール親機２０の全ての構成要素（制御部２１、インターフェース２２、記憶部２３、報知部２４）は、商用交流電源により動作している。
【００２７】
この状態で、ナースコール子機１の呼出操作部３が操作されると、子機制御部２は呼出信号を生成し、子機インターフェース４は、子機制御部２にて生成された呼出信号を廊下灯１０へ出力する。廊下灯１０では、廊下灯インターフェース１２が呼出信号を入力し、廊下灯制御部１１が表示灯を点滅させる。また、廊下灯インターフェース１２は、入力した呼出信号をナースコール親機２０へ出力する。ナースコール親機２０では、インターフェース２２が呼出信号を入力し、制御部２１が記憶部１３を参照し、呼出信号に含まれる子機識別情報に関連付けて記憶されている患者識別情報を抽出する。また、制御部２１は、抽出した患者識別情報に基づいて報知部２４を動作させ、報知部２４は報知を行う。
【００２８】
ナースステーションに常駐している医療従事者は、ナースコール親機２０による報知を把握することで、患者からの呼び出しに応答することができる。なお、医療従事者が応答するための動作については、周知技術であるため、説明を省略する。また、呼び出しが行われたナースコール子機１が設置されている病室の前の廊下に居る医療従事者は、廊下灯１０の表示灯１３の点滅を把握することで、患者からの呼び出しに応答することができる。
【００２９】
また、商用交流電源が停電すると、ナースコールシステムを構成するナースコール子機１、廊下灯１０、および、ナースコール親機２０に対して商用交流電源による給電が停止する。図２に示すように、商用交流電源が停電している状態では、予備電源３０は内部に蓄積した電力をナースコール子機１および廊下灯１０へ供給する（換言すると、予備電源３０が動作する）。また、ナースコール子機１の構成要素のうち、子機制御部２、呼出操作部３、子機インターフェース４、子機予備報知部５は予備電源３０により動作する。
【００３０】
また、廊下灯１０の構成要素のうち、廊下灯制御部１１、廊下灯インターフェース１２、表示灯１３、廊下灯予備報知部１４は予備電源３０により動作する。また、ナースコール親機２０の全ての構成要素（制御部２１、インターフェース２２、記憶部２３、報知部２４）は、商用交流電源が停電しているため動作しない。
【００３１】
この状態で、ナースコール子機１の呼出操作部３が操作されると、子機制御部２は呼出信号を生成し、子機インターフェース４は、子機制御部２にて生成された呼出信号を廊下灯１０へ出力する。一方、子機制御部２は子機予備報知部５を動作させ、子機予備報知部５は音声による報知を行う。廊下灯１０では、廊下灯インターフェース１２が呼出信号を入力し、廊下灯制御部１１が表示灯を点灯させる。一方、廊下灯制御部１１は廊下灯予備報知部１４を動作させ、廊下灯予備報知部１４は音声による報知を行う。また、廊下灯インターフェース１２は、入力した呼出信号をナースコール親機２０へ出力するものの、ナースコール親機２０では、電源が供給されていないため、全ての構成要素が動作しない。
【００３２】
ナースステーションに常駐している医療従事者は、ナースコール親機２０による報知が行われないため、患者からの呼び出しに応答することはできないが、商用交流電源が停電していることを把握している可能性は高い（天災などにより商用交流電源の停電が起こるため）。そのため、ナースステーションに常駐している医療従事者は、各病室の様子を確認するために、廊下を巡回することになる。従って、呼び出しが行われたナースコール子機１が設置されている病室の前の廊下では、廊下灯１０の表示灯１３が点灯しているだけではなく、病室内に設置されているナースコール子機１の子機予備報知部５による音声の報知と廊下灯１０の廊下灯予備報知部１４による音声の報知とが行われる。そのため、巡回している医療従事者は、患者からの呼び出しを把握することができる。
【００３３】
以上詳しく説明したように、本実施形態では、患者の居るベッド近傍に設置され、この患者が呼び出しを行う際に操作するナースコール子機１と、このナースコール子機１が設置されている病室の出入口近傍の廊下側に設置され、ナースコール子機１により呼び出しが行われたことを表示する廊下灯１０と、呼び出しに対応する医療従事者が常駐するナースステーションに設置され、ナースコール子機１により呼び出しが行われたことを報知するナースコール親機２０とを備えたナースコールシステムであって、このナースコールシステムへの給電を行う商用交流電源の停電が検出された場合に、ナースコール子機１および廊下灯１０に対して一定の期間だけ給電を行う予備電源３０を設けるとともに、ナースコール子機１および廊下灯１０に、予備電源３０により給電された場合にのみ音声による報知を行う予備報知部５，１４を設けるようにしている。
【００３４】
これにより、ナースコールシステムへの給電を行う商用交流電源の停電が検出された場合に、ナースコール子機１および廊下灯１０に対してのみ予備電源３０による給電が行われるので、ナースコールシステム全体に対して予備電源３０による給電を行う場合に比べて、長時間に渡ってナースコール子機１による患者の呼び出しを医療従事者に把握させることができる。また、ナースコールシステムへの給電を行う商用交流電源の停電時には、医療従事者による病院内の巡回が行われる可能性が高く、ナースコール子機１に設けた子機予備報知部５および廊下灯１０に設けた廊下灯予備報知部１４により音声による報知が行われるので、医療従事者がナースコール子機１による患者の呼び出しを把握することができる。
【００３５】
なお、本実施形態では、本実施形態では、ナースコール子機１および廊下灯１０の両方に予備報知部５，１４を設けるようにしているが、これに限定されない。例えば、何れか一方に予備報知部を設けるようにしても良い。
【００３６】
また、本実施形態では、廊下灯１０に対して商用交流電源により給電が行われている場合に、廊下灯制御部１１が表示灯１３を点滅させ、廊下灯１０に対して予備電源３０により給電が行われている場合に、廊下灯制御部１１が表示灯１３を点灯させるようにしているが、これに限定されない。例えば、廊下灯１０に対して商用交流電源により給電が行われている場合に、廊下灯制御部１１が表示灯１３を点灯させ、廊下灯１０に対して予備電源３０により給電が行われている場合に、廊下灯制御部１１が表示灯１３を点滅させるようにしても良いし、両者ともに点滅させたり、両者ともに点灯させたりするようにしても良い。
【００３７】
また、本実施形態では、廊下灯１０に表示灯１３を設けることでナースコール子機１による呼び出しが行われたことを医療従事者に把握させ、廊下灯１０に患者情報表示部をもうけることで病室内の患者の氏名を医療従事者に把握させるようにしているが、これに限定されない。例えば、廊下灯１０に表示ディスプレイを設け、この表示ディスプレイにナースコール子機１による呼び出しが行われたことを表示したり、患者の氏名を表示したりするようにしても良い。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３９】
１    ナースコール子機
２    子機制御部
３    呼出操作部
４    子機インターフェース
５    子機予備報知部
１０    廊下灯
１１    廊下灯制御部
１２    廊下灯インターフェース
１３    表示灯
１４    廊下灯予備報知部
２０    ナースコール親機
２１    制御部
２２    インターフェース
２３    記憶部
２４    報知部
【図１】
2012245048.tif 000003
【図２】
2012245048.tif 000004